(57)【要約】      （修正有）【課題】外光の影響を抑制して生体情報を高精度に読み取ることのできる生体認証装置を提供する。【解決手段】Ｖ字型の溝を備え、その開放端側から挿入された生体４をＶ字型溝により狭持して位置決めする位置決め手段１０１と、前記Ｖ字型溝に狭持された生体を照射する照射手段１０３と、前記照射手段により照射された前記生体の画像を取得する認証用の撮影手段１０２と、前記撮影手段が取得した前記生体の画像と予め登録した生体の画像とを対比して生体を認証する認証手段を備え、前記Ｖ字型溝の非開放端側に認証用の撮影手段１０２をその光軸を開放端側に向けて配置すると共に、前記認証用の撮影手段を備えた位置決め手段を自動取引装置の操作卓の下面に設けた。【選択図】図５
2008176690.tif 000002
【特許請求の範囲】
【請求項１】
Ｖ字型の溝を備え、その開放端側から挿入された生体をＶ字型溝により狭持して位置決めする位置決め手段と、
前記Ｖ字型溝に狭持された生体を照射する照射手段と、
前記照射手段により照射された前記生体の画像を取得する認証用の撮影手段と、
前記撮影手段が取得した前記生体の画像と予め登録した生体の画像とを対比して生体を認証する認証手段を備え、
前記Ｖ字型溝の非開放端側に認証用の撮影手段をその光軸を開放端側に向けて配置すると共に、前記認証用の撮影手段を備えた位置決め手段を自動取引装置の操作卓の下面に設けたことを特徴とする生体認証装置。
【請求項２】
請求項１記載の生体認証装置において、
前記Ｖ字型溝および該Ｖ字型溝に狭持された生体の画像を取得する位置決め案内用の撮影手段および該撮影手段が撮影した画像を表示する表示装置を備えたことを特徴とする生体認証装置。
【請求項３】
請求項１記載の生体認証装置において、
前記位置決め手段は自動取引装置の操作卓の端部下面側に設けた垂下部の取引装置の本体方向側に配置したことを特徴とする生体認証装置。
【発明の詳細な説明】
【技術分野】
【０００１】
本発明は、生体認証装置に係り、特に、外光の影響を抑制して生体情報を高精度に読み取ることのできる生体認証装置に関する。
【背景技術】
【０００２】
生体情報を読み取る生体情報読取り装置を現金自動取引装置等の自動取引装置に設置して運用する場合、前記生体情報読取り装置は自動取引装置の上面に設置されるのが一般的である。
【０００３】
また、このような生体情報読み取り装置においては、利用者の、例えば指の血管パターンを正確に読み取るため、指を置く位置を案内するガイドを備える。このガイドは、指あるいは手の形を型取った溝を備え、この溝内に指を案内して固定させる方法が一般的である（特許文献１参照）。
【特許文献１】特開２００３−８５５３９号公報
【発明の開示】
【発明が解決しようとする課題】
【０００４】
生体情報を読み取る方法としては、光（赤外線等）を対象となる指等の生体に照射し、血管パターンを浮かび上がらせ、浮かび上がった血管パターンをカメラにより撮影し、撮影した画像を予め登録しておいた血管パターンと照合して、前記撮影した生体が本人のものであるか否か照合する方法が一般的である。
【０００５】
しかし、撮影対象である指等の生体を読取り装置の読取り部に置く際に、生体の置き位置あるいは生体の形状等の影響により、外部からの光が読取り装置内に進入し対象生体物の血管パターンの読取り精度が低下することがある。
【０００６】
本発明は、これらの問題点に鑑みてなされたもので、外光の影響を抑制して生体情報を高精度に読み取ることのできる生体認証装置を提供するものである。
【課題を解決するための手段】
【０００７】
本発明は上記課題を解決するため、次のような手段を採用した。
【０００８】
Ｖ字型の溝を備え、その開放端側から挿入された生体をＶ字型溝により狭持して位置決めする位置決め手段と、前記Ｖ字型溝に狭持された生体を照射する照射手段と、前記照射手段により照射された前記生体の画像を取得する認証用の撮影手段と、前記撮影手段が取得した前記生体の画像と予め登録した生体の画像とを対比して生体を認証する認証手段を備え、前記Ｖ字型溝の非開放端側に認証用の撮影手段をその光軸を開放端側に向けて配置すると共に、前記認証用の撮影手段を備えた位置決め手段を自動取引装置の操作卓の下面に設けた。
【発明の効果】
【０００９】
本発明は、以上の構成を備えるため、外光の影響を抑制して生体情報を高精度に読み取ることのできる生体認証装置を提供することができる。
【発明を実施するための最良の形態】
【００１０】
以下、最良の実施形態を添付図面を参照しながら説明する。図１は、本発明の第１の実施形態にかかる生体認証装置を説明する図である。図１において、１は生体情報読み取り装置であり、赤外線等の光を生体４に照射して血管パターンを浮かび上がらせるための光源および浮かび上がった血管パターンを撮影するカメラを備える。なお、図において矢印はカメラの撮影方向を示している。
【００１１】
２は現金自動取引装置等の取引装置であり、前記生体情報読み取り装置１は、この取引装置に設置して運用される。３は取引装置２の制御部であり、上位装置の制御のもとに、現金の入出金、取り引き明細票の作成、前記撮影手段により取得した画像による生体認証を行う。生体認証に際しては、前記撮影手段により取得した生体の画像と予め登録した生体の画像とを対比して、前記撮影した生体が本人のものであるか否かを照合する。
【００１２】
２１は取引装置２の操作卓であり、操作卓２１の端部下面側には垂下部２２を設け、該垂下部に生体情報読み取り装置１を横方向（取引装置の本体側方向）に向けて設ける。なお、前記操作卓２１は、利用者に取り引き操作を案内する操作表示板、キーボード等の入力装置を備える。
【００１３】
図１に示すように、生体情報読み取り装置１は、操作卓２１の下面に横方向に向けて設ける。このように、生体情報読み取り装置１を取引装置の操作卓２１の下面に置くことにより、前記操作卓２１あるいは操作卓の垂下部２２自体が遮光物として機能することになる。このため、操作卓２１の下部に置かれた生体情報読み取り装置の撮影手段に入射する外光を抑制することができる。
【００１４】
これにより、生体情報読み取り装置１の撮影手段に入射する外光の影響を抑制して生体情報を高精度に読み取ることができる。
【００１５】
図５は、生体情報読み取り装置１の詳細を説明する図である。図５において、１０１はＶ字型の溝１０１ａを備えた位置決め手段であり、前記Ｖ字型の溝１０１ａの開放端側から挿入された生体（指）４をＶ字型溝により狭持して位置決めする。１０３ａ、１０３ｂは赤外線等を前記生体に照射する光源であり、ＬＥＤ等で構成する。１０２は認証用の撮影手段（カメラ）であり、前記赤外線等の照射により浮かび上がった血管パターン等の生体情報を撮影する。
【００１６】
前述のように、位置決め手段１０１としてＶ字型の溝を用いることにより、利用者の指が太い場合であっても、細い場合であっても、指を前記撮影手段１０２に正対する位置に誘導して固定することができる。また、Ｖ字型の溝とすることにより、指と溝を密着させることが可能となり隙間を通る外光を遮蔽することができる。
【００１７】
ところで、前記位置決め手段１０１は、操作卓２１の下面に配置されている。このため利用者は前記位置決め手段を目視することができない。このため、利用者は自身の指を前記Ｖ字型溝１０１ａに嵌入することは困難である。
【００１８】
図２は、位置決めガイド用の映像を表示する表示装置を備えた生体認証装置を説明する図である。図２において、５は生体情報読み取り装置１およびその近傍を撮影する位置決め案内用の撮影手段（カメラ）である。６は操作卓２１の上面に配置した表示装置であり、該表示装置には前記撮影手段５が撮影した映像（動画）を位置決め案内画像７として表示する。なお、表示装置６は利用者に取り引き操作を案内する操作表示板と兼用することができる。
【００１９】
このように、表示装置６に、撮影手段５により撮影した映像（利用者の指および生体情報読み取り装置の映像）を表示する。このため、利用者は前記映像を観察することにより自身の指を前記Ｖ字型溝に容易に嵌入することができる。
【００２０】
図３は、生体情報読み取り装置１を、操作卓２１の端部下面側に垂直方向に向けて（撮影手段の撮影方向が下向きになるように）設けた例を示す図である。前述した図１，２の例では、生体認証に際して、指を自動取引装置の本体側にもぐりこませるように動かさなければならない。これに対して、図３の例では、生体認証に際して、指を自動取引装置の本体下方に置くのみでよい。このため利用者に対する心理的負担を軽減することができる。
【００２１】
図４は、２つの生体情報読み取り装置１、１’を、操作卓２１の端部下面側に向かい合わせに（撮影方向が対向するように）配置した例を示す図である。なお、前記生体情報読み取り装置１、１’は、その何れか一方のみを配置するようにしてもよい。
【００２２】
この例では、利用者は、認証に際して、右手または左手の指の平（指紋のある側）を横向きに配置することができる。このため利用者に対する心理的負担を更に軽減することができる。
【００２３】
以上説明したように、本発明の実施形態によれば、生体情報読み取り装置１を取引装置の操作卓の下側に配置する。これにより、空きスペースである操作卓の下方に取付けスペースを容易に確保することができるとともに、外光による読み取り精度の低下を防止することができる。
【００２４】
また、位置決め手段としてＶ字型の溝を用いることにより、利用者の指が太い場合であっても、細い場合であっても、指を読み取り装置の撮影手段に正対する位置に容易に誘導して固定することができる。また、Ｖ字型の溝とすることにより、指と溝を密着させることが可能となり隙間を通る外光を遮蔽することができる。
【図面の簡単な説明】
【００２５】
【図１】本発明の実施形態にかかる生体認証装置を説明する図である。
【図２】位置決めガイド用の映像を表示する表示装置を備えた生体認証装置を説明する図である。
【図３】生体情報読み取り装置を、操作卓の端部下面側に設けた例を示す図である。
【図４】２つの生体情報読み取り装置を向かい合わせに配置した例を示す図である。
【図５】生体情報読み取り装置の詳細を説明する図である。
【符号の説明】
【００２６】
１  生体情報読み取り装置
２  自動取引装置
３  制御部
４  生体（指）
５  位置決め案内用撮影手段
６  表示手段
７  位置決め案内画像
２１  操作卓
２２  垂下部
１０１  位置決め手段
１０１ａ  Ｖ字型の溝
１０２  認証用撮影手段
１０３ａ、１０３ｂ  光源
【図１】
2008176690.tif 000003
【図２】
2008176690.tif 000004
【図３】
2008176690.tif 000005
【図４】
2008176690.tif 000006
【図５】
2008176690.tif 000007